【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
血管修復デバイスであって、
管状グラフト本体と、
前記グラフト本体に連結した少なくとも２個のステントを有する構造フレームワークと、および、
前記グラフト本体に連結し、中心線を有する湾曲形状の長手方向支持部材であって、前記中心線に関してほぼ対称的な該長手方向支持部材と
を備えたことを特徴とする血管修復デバイス。
【請求項２】
前記長手方向支持部材を、ニチノール、ステンレス鋼、生体高分子、コバルト‐クロムおよびチタン合金よりなるグループから選択した材料により形成した請求項１に記載の血管修復デバイス。
【請求項３】
前記長手方向支持部材を平坦なＳ字形の形状とした請求項１に記載の血管修復デバイス。
【請求項４】
前記長手方向支持部材を部分的にらせん形の形状とした請求項１に記載の血管修復デバイス。
【請求項５】
前記長手方向支持部材を、端部が漸近線に収斂するよう湾曲させた請求項１に記載の血管修復デバイス。
【請求項６】
前記長手方向支持部材を、前記構造フレームワークとは独立して前記グラフト本体に連結した請求項１に記載の血管修復デバイス。
【請求項７】
前記長手方向支持部材を、前記構造フレームワークの前記ステントのうちの１個に連結した請求項１に記載の血管修復デバイス。
【請求項８】
前記長手方向支持部材を、前記１個のステントに連結した端部を有するものとした請求項７に記載の血管修復デバイス。
【請求項９】
前記長手方向支持部材は２個の端部を有し、端部を前記構造フレームワークの前記ステントのうちの１方にそれぞれ連結するものとした請求項７に記載の血管修復デバイス。
【請求項１０】
前記長手方向支持部材を、前記湾曲した形状に予め形成した請求項１に記載の血管修復デバイス。
【請求項１１】
前記長手方向支持部材は丸い端部を有するものとした請求項１に記載の血管修復デバイス。
【請求項１２】
前記長手方向支持部材は、長手方向終端部で湾曲させてループ状にした端部を有するものとした請求項１に記載の血管修復デバイス。
【請求項１３】
前記長手方向支持部材は２個のループ状の端部を有するものとし、各端部は長手方向終端部で湾曲させてループ状にした請求項１に記載の血管修復デバイス。
【請求項１４】
前記長手方向支持部材は前記構造フレームワークよりも短いものとした請求項１に記載の血管修復デバイス。
【請求項１５】
血管修復デバイスであって、
管状グラフト本体と、
前記管状グラフト本体に連結した少なくとも２個のステントを有する構造フレームワークと、および、
前記構造フレームとは独立して前記グラフト本体に連結した湾曲形状の長手方向支持部材と
を備えたことを特徴とする血管修復デバイス。
【請求項１６】
血管修復デバイスであって、
管状グラフト本体と、
前記管状グラフト本体に連結した少なくとも２個のステントを有する構造フレームワークと、および、
２個の端部を有し、前記端部の少なくとも一方は長手方向の先端が湾曲形状である長手方向支持部材と
を備えたことを特徴とする血管修復デバイス。
【請求項１７】
前記支持部材を湾曲形状とした、請求項１６に記載の血管修復デバイス。
【請求項１８】
血管修復デバイスであって、
基端部および末端部を有する管状グラフト本体と、
少なくとも２個のステントを有する構造フレームワークであって、ステントは前記基端部および前記末端部に隣接した前記管状グラフト本体にそれぞれ連結しており、その間の分離距離を定めている、該構造フレームワークと、および、
前記分離距離よりも短く、前記少なくとも２個のステントの間で前記グラフト本体に連結して前記グラフト本体の基端部および末端部のうち少なくとも一方においてジンバルを構成する、長手方向支持部材と
を備えたことを特徴とする血管修復デバイス。
【請求項１９】
前記支持部材を湾曲形状とした、請求項１８に記載の血管修復デバイス。
【請求項２０】
血管修復デバイスであって、
基端部および末端部を有する管状グラフト本体と、
少なくとも２組のステントを有する構造フレームワークであって、ステントは前記基端部および前記末端部に隣接した前記グラフト本体にそれぞれ連結しており、前記２組のステントの各々の前記ステントは前記グラフト本体において互いに分離して、各々の外側ステントおよび各々の内側ステントを定めている、該構造フレームワークと、および、
前記グラフト本体に連結した長手方向支持部材であって、前記２組のステントのうちの第１ステントの、少なくとも前記内側ステント、および
前記２組のステントのうちの第２ステントの、少なくとも前記外側ステント、
との間に延在する、該長手方向支持部材と
を備えたことを特徴とする血管修復デバイス。
【請求項２１】
前記支持部材が、前記２組のステントの前記内側ステントの双方の間で前記グラフト本体に連結する、請求項２０に記載の血管修復デバイス。
【請求項２２】
前記支持部材を、前記２組のステントの各々の前記内側ステントに各々連結する端部を有するものとした、請求項２０に記載の血管修復デバイス。
【請求項２３】
請求項２０に記載のデバイスであって、
前記支持部材は端部を有し、
前記端部のうちの少なくとも１個は、前記２組のステントのうち一方の前記内側ステントに連結する、
血管修復デバイス。
【請求項２４】
前記支持部材を湾曲形状とした、請求項２０に記載の血管修復デバイス。
【請求項２５】
血管修復デバイスであって、
基端部および末端部を有する管状グラフト本体と、
少なくとも２組のステント有する構造フレームワークであって、ステントは前記基端部および前記末端部に隣接した前記グラフト本体にそれぞれ連結し、前記２組のステントの各々の前記ステントは、前記グラフト本体においてお互いに分離しており、各々の外側ステントおよび各々の内側ステントを定めている該構造フレームワークと、および、
２個の端部を有し、前記２組のステントの前記内側ステントの双方の間で前記グラフト本体に連結する、湾曲形状の長手方向支持部材と
を備えたことを特徴とする血管修復デバイス。
【請求項２６】
前記支持部材を、前記内側ステントに接触することなく、前記グラフト本体に連結した、請求項２５に記載の血管修復デバイス。
【請求項２７】
前記支持部材を、前記内側ステントの少なくとも一方に接触するように前記グラフト本体に連結した、請求項２５に記載の血管修復デバイス。
【請求項２８】
血管修復デバイスであって、
第１端部および第２端部を有する管状グラフト本体と、
少なくとも３つのステントを有する構造フレームワークであって、前記ステントのうち２個は前記第１端部に隣接した前記管状グラフト本体に連結し、前記２個のステントは、前記グラフト本体上でお互いに分離して外側ステントおよび内側ステントを定め、前記ステントの３番目は前記第２端部に隣接した前記管状グラフト本体に連結した、該構造フレームワークと、および、
２個の端部を有し、前記内側ステントおよび前記第３ステントの間で、前記内側ステントおよび前記第３ステントに接触することなく、前記グラフト本体に連結した、長手方向支持部材と
を備えたことを特徴とする血管修復デバイス。
【請求項２９】
前記支持部材を湾曲形状とした、請求項２８に記載の血管修復デバイス。
【請求項３０】
血管修復デバイスであって、
管状グラフト本体と、
少なくとも２個のステントを有する構造フレームワークと、
前記第１ステントの全体にわたって、前記管状グラフト本体に連結した前記第１ステントと、
一定の曲率半径を有する基端側頂点、および前記一定の曲率半径よりも小さな曲率半径を有する末端側頂点を定めるような、周期的に変化する形状を有する、前記第２ステントと、および、
前記末端側頂点で前記管状本体に連結した前記第２ステントと
を備えたことを特徴とする血管修復デバイス。
【請求項３１】
前記第２ステントを、前記末端側頂点のみで前記管状本体に連結した、請求項３０に記載の血管修復デバイス。
【請求項３２】
前記第１ステントを、ほぼ等しい曲率半径の基端側頂点および末端側頂点を交互に有するものとした、請求項３０に記載の血管修復デバイス。
【請求項３３】
前記曲率半径を約０．１ｍｍ〜約３．０ｍｍとした、請求項３２に記載の血管修復デバイス。
【請求項３４】
前記曲率半径を約０．５ｍｍとした、請求項３２に記載の血管修復デバイス。
【請求項３５】
請求項３０に記載のデバイスであって、
前記グラフト本体は基端部を有し、
前記第２ステントは前記基端部に連結し、および、
前記基端側頂点は、前記基端部から突出する、
血管修復デバイス。
【請求項３６】
請求項３５に記載のデバイスであって、
前記第１ステントは、ほぼ等しい曲率半径の基端側頂点および末端側頂点を交互に有し、
前記第２ステントの前記末端側頂点は、前記第１ステントの前記基端側頂点および末端側頂点の前記曲率半径にほぼ等しい曲率半径を有する、
血管修復デバイス。
【請求項３７】
前記第２ステントの前記基端側頂点は１．５ｍｍにほぼ等しい曲率半径を有し、前記第２ステントの前記末端側頂点は０．５ｍｍにほぼ等しい曲率半径を有する、請求項３６に記載の血管修復デバイス。
【請求項３８】
請求項３０に記載のデバイスであって、
前記第１ステントは一定の振幅を有し、
前記第２ステントは、前記一定の振幅よりも大きい振幅を有する、
血管修復デバイス。
【請求項３９】
血管修復デバイスであって、
管状グラフト本体と、
少なくとも２個のステントを有する構造フレームワークと、
前記第１ステントであって、第１曲率半径を有する第１基端側頂点、および前記第１曲率半径にほぼ等しい曲率半径を有する第１末端側頂点を定めるような、周期的に変化する形状を有する該ステントと、および、前記第１ステントの全体にわたって前記管状グラフト本体に連結した該ステントと、および、
前記第２ステントであって、
前記第１曲率半径よりも大きな第２曲率半径を有する第２基端側頂点、および前記第１曲率半径とほぼ等しい曲率半径を有する第２末端側頂点を定めるような、周期的に変化する形状を有する該ステントと、および、
前記第２末端側頂点のみで前記管状本体に連結した該ステントと
を備えたことを特徴とする血管修復デバイス。
【請求項４０】
前記支持部材を前記中心線に関してほぼ逆鏡像の対称形の形状とした、請求項１に記載の血管修復デバイス。
【請求項４１】
前記グラフト本体を、前記グラフト本体を配置する血管の直径と少なくとも同じ大きさの直径を有するものとした、請求項１に記載の血管修復デバイス。
【請求項４２】
請求項１に記載のデバイスであって、
前記少なくとも２個のステントは各々頂点を有し、
前記構造フレームワークは、最も末端側のステントを有し、および、、
前記最も末端側のステントは、前記少なくとも２個のステントのもう一方よりも、少なくとも１個多くの頂点を有する、
血管修復デバイス。
【請求項４３】
前記グラフト本体を、前記グラフト本体を配置する血管の直径と少なくとも同じ大きさの直径を有するものとした、請求項１６に記載の血管修復デバイス。
【請求項４４】
請求項１６に記載のデバイスであって、
前記少なくとも２個のステントは、各々頂点を有し、
前記構造フレームワークは、最も末端側のステントを有し、および、
前記最も末端側のステントは、前記少なくとも２個のステントのもう一方よりも、少なくとも１個多くの頂点を有する、
血管修復デバイス。
【請求項４５】
前記第１ステントを、前記第２ステントよりも少なくとも１個多くの頂点を有するものとした、請求項３９に記載の血管修復デバイス。
【請求項４６】
請求項１に記載のデバイスであって、
前記グラフト本体は、長手方向を定義するような長手方向の広がりを有し、前記ステントは、前記長手方向に、ほぼ線形のプロファイルを有する、
血管修復デバイス。
【請求項４７】
前記ステントを、線形の長手方向プロファイルを有するものとした、請求項４６に記載の血管修復デバイス。
【請求項４８】
前記ステントを、円形断面の形状を有するものとした、請求項４６に記載の血管修復デバイス。
【請求項４９】
前記ステントを、非円形断面の形状を有するものとした、請求項４６に記載の血管修復デバイス。
【請求項５０】
前記非円形断面の形状を、１０面体形状から１２面体形状よりなるグループから選択した、請求項４９に記載の血管修復デバイス。